(57)【特許請求の範囲】
【請求項１】
設置された国の現地通貨を出金する機能を少なくとも有する取引装置であって、
使用者による指示操作を受け付ける操作受付部と、
前記操作受付部により前記現地通貨の出金指示が受け付けられたときに、該出金指示による出金額の前記現地通貨によって購入可能な商品の情報を、使用者に報知する購入可能商品報知を行う購入可能商品報知部と、
表示器と、
前記表示器に使用者に対する取引のガイダンスを表示するガイダンス表示部と、を備え、
前記取引装置はＡＴＭ（Automated Teller Machine）であり、
前記購入可能商品報知部は、
前記操作受付部が使用者による前記現地通貨での出金額の指示操作を受け付けた場合には、前記出金額の最終的な確認の指示操作を受け付ける前に、前記購入可能商品報知として、前記商品の個数とこの個数分の金額とを含む商品情報を前記表示器に表示する処理を行い、前記操作受付部が使用者による前記個数を変更する操作指示を受け付けた場合には、変更後の個数に応じて、前記表示器に表示する前記商品の個数と当該個数分の金額を変更することを特徴とする取引装置。
【請求項２】
使用者が所持する取引カードが、前記取引装置が設置された国以外の国で発行されたか否かを認識するカード発行国認識部を備え、
前記購入可能商品報知部は、前記カード発行国認識部により、使用者が所持する取引カードが、前記取引装置が設置された国以外の国で発行されたことが認識された場合に、前記購入可能商品報知を行うことを特徴とする請求項１に記載の取引装置。
【請求項３】
前記ガイダンス表示部は、前記操作受付部により、使用者による言語の指示操作が受け付けられたときに、該指示操作に応じて前記ガイダンスの表示に用いる言語を決定し、
前記購入可能商品報知部は、前記ガイダンス表示部により、前記ガイダンスの表示に用いられる言語が、前記取引装置が設置された国以外の国の言語に決定された場合に、前記購入可能商品報知を行うことを特徴とする請求項１又は２に記載の取引装置。
【請求項４】
前記購入可能商品報知部は、前記操作受付部により、前記購入可能商品報知の実行を指示する操作が受け付けられたときに、前記購入可能商品報知を行うことを特徴とする請求項１から請求項３のうちのいずれか１項に記載の取引装置。
【請求項５】
前記購入可能商品報知部は、出金処理に伴う使用者の待ち時間中、前記購入可能商品報知により報知した商品に関連する情報を報知することを特徴とする請求項１から請求項４のうちのいずれか１項に記載の取引装置。
【請求項６】
前記購入可能商品報知部は、前記操作受付部により、前記現地通貨での出金額を確定する操作指示が受け付けられたときに、前記購入可能商品報知を行うことを特徴とする請求項１から５のうちのいずれか１項に記載の取引装置。
【請求項７】
前記現地通貨による各種商品の価格データを含む商品データベースにアクセスして、前記商品データベースを参照する商品データ参照部と、
前記操作受付部により前記現地通貨の出金指示が受け付けられたときに、前記商品データ参照部により前記商品データベースを参照して、該出金指示による出金額の前記現地通貨によって購入可能な商品を抽出する購入可能商品抽出部と、を備え、
前記購入可能商品報知部は、前記購入可能商品報知において、前記購入可能商品抽出部により抽出された商品の情報を使用者に報知することを特徴とする請求項１から請求項６のうちのいずれか１項に記載の取引装置。
【請求項８】
設置された国の現地通貨を出金する機能を少なくとも有する取引装置であって、
使用者による指示操作を受け付ける操作受付部と、
前記操作受付部により前記現地通貨の出金指示が受け付けられたときに、該出金指示による出金額の前記現地通貨によって購入可能な商品の情報を、使用者に報知する購入可能商品報知を行う購入可能商品報知部と、
表示器と、
前記表示器に使用者に対する取引のガイダンスを表示するガイダンス表示部と、を備え、
前記取引装置はＡＴＭ（Automated Teller Machine）であり、
前記購入可能商品報知部は、
前記操作受付部が使用者による前記現地通貨での出金額の指示操作を受け付けた場合には、前記出金額の最終的な確認の指示操作を受け付ける前に、前記購入可能商品報知として、前記商品の商品名と前記商品の個数及び価格を含む商品情報を前記表示器に表示する処理を行い、前記操作受付部が前記表示器に表示されている前記商品名の使用者による押し下げ操作を受け付けた場合に前記商品の広告を前記表示器に表示する処理を行うことを特徴とする取引装置。
【請求項９】
使用者が所持する取引カードが、前記取引装置が設置された国以外の国で発行されたか否かを認識するカード発行国認識部を備え、
前記購入可能商品報知部は、前記カード発行国認識部により、使用者が所持する取引カードが、前記取引装置が設置された国以外の国で発行されたことが認識された場合に、前記購入可能商品報知を行うことを特徴とする請求項８に記載の取引装置。
【請求項１０】
前記ガイダンス表示部は、前記操作受付部により、使用者による言語の指示操作が受け付けられたときに、該指示操作に応じて前記ガイダンスの表示に用いる言語を決定し、
前記購入可能商品報知部は、前記ガイダンス表示部により、前記ガイダンスの表示に用いられる言語が、前記取引装置が設置された国以外の国の言語に決定された場合に、前記購入可能商品報知を行うことを特徴とする請求項８又は９に記載の取引装置。
【請求項１１】
前記購入可能商品報知部は、前記操作受付部により、前記購入可能商品報知の実行を指示する操作が受け付けられたときに、前記購入可能商品報知を行うことを特徴とする請求項８から請求項１０のうちのいずれか１項に記載の取引装置。
【請求項１２】
前記購入可能商品報知部は、出金処理に伴う使用者の待ち時間中、前記購入可能商品報知により報知した商品に関連する情報を報知することを特徴とする請求項８から請求項１１のうちのいずれか１項に記載の取引装置。
【請求項１３】
前記購入可能商品報知部は、前記操作受付部により、前記現地通貨での出金額を確定する操作指示が受け付けられたときに、前記購入可能商品報知を行うことを特徴とする請求項８から請求項１２のうちのいずれか１項に記載の取引装置。
【請求項１４】
前記現地通貨による各種商品の価格データを含む商品データベースにアクセスして、前記商品データベースを参照する商品データ参照部と、
前記操作受付部により前記現地通貨の出金指示が受け付けられたときに、前記商品データ参照部により前記商品データベースを参照して、該出金指示による出金額の前記現地通貨によって購入可能な商品を抽出する購入可能商品抽出部と、を備え、
前記購入可能商品報知部は、前記購入可能商品報知において、前記購入可能商品抽出部により抽出された商品の情報を使用者に報知することを特徴とする請求項８から請求項１３のうちのいずれか１項に記載の取引装置。
【発明の詳細な説明】
【技術分野】
【０００１】
本発明は、現金自動預け払い機（ＡＴＭ：Automated Teller Machine）、外貨両替機等の現金の支払いを行う取引装置に関する。
【背景技術】
【０００２】
従来、複数国の通貨の入金が可能なＡＴＭにおいて、入金された通貨の種別を鑑別することにより、入金された通貨の種別に対応する言語によって、操作画面のガイダンス表示を行う構成が提案されている（例えば、特許文献１参照）。
【先行技術文献】
【特許文献】
【０００３】
【特許文献１】特開２０１１−１２８８０４号公報
【発明の概要】
【発明が解決しようとする課題】
【０００４】
上記特許文献１に記載されたＡＴＭのように、操作画面のガイダンス言語を、入金された通貨の種別に合わせて切り替えることにより、外国人による入出金の操作を容易にすることができる。
【０００５】
しかしながら、外国人は、ＡＴＭが設置された国（現地）の物価の認識が不十分あることが多く、また、自国の通貨と現地通貨との為替レートを正確に認識していない場合もある。そのため、外国人が、ＡＴＭから現地通貨を出金する場合に、余裕をもって必要以上に現地通貨を出金しがちである。
【０００６】
本発明はかかる背景に鑑みてなされたものであり、外国人が必要以上に現地通貨を出金することを抑制し得る取引装置を提供することを目的とする。
【課題を解決するための手段】
【０００７】
本発明の取引装置は、設置された国の現地通貨を出金する機能を少なくとも有する取引装置であって、使用者による指示操作を受け付ける操作受付部と、前記操作受付部により前記現地通貨の出金指示が受け付けられたときに、該出金指示による出金額の前記現地通貨によって購入可能な商品の情報を、使用者に報知する購入可能商品報知を行う購入可能商品報知部と、表示器と、前記表示器に使用者に対する取引のガイダンスを表示するガイダンス表示部と、を備え、前記取引装置はＡＴＭ（Automated Teller Machine）であり、前記購入可能商品報知部は、前記操作受付部が使用者による前記現地通貨での出金額の指示操作を受け付けた場合には、前記出金額の最終的な確認の指示操作を受け付ける前に、前記購入可能商品報知として、前記商品の個数とこの個数分の金額とを含む商品情報を前記表示器に表示する処理を行い、前記操作受付部が使用者による前記個数を変更する操作指示を受け付けた場合には、変更後の個数に応じて、前記表示器に表示する前記商品の個数と当該個数分の金額を変更することを特徴とする。
また、本発明に係る取引装置は、設置された国の現地通貨を出金する機能を少なくとも有する取引装置であって、使用者による指示操作を受け付ける操作受付部と、前記操作受付部により前記現地通貨の出金指示が受け付けられたときに、該出金指示による出金額の前記現地通貨によって購入可能な商品の情報を、使用者に報知する購入可能商品報知を行う購入可能商品報知部と、表示器と、前記表示器に使用者に対する取引のガイダンスを表示するガイダンス表示部と、を備え、前記取引装置はＡＴＭ（Automated Teller Machine）であり、前記購入可能商品報知部は、前記操作受付部が使用者による前記現地通貨での出金額の指示操作を受け付けた場合には、前記出金額の最終的な確認の指示操作を受け付ける前に、前記購入可能商品報知として、前記商品の商品名と前記商品の個数及び価格を含む商品情報を前記表示器に表示する処理を行い、前記操作受付部が前記表示器に表示されている前記商品名の使用者による押し下げ操作を受け付けた場合に前記商品の広告を前記表示器に表示する処理を行うことを特徴とする。
【０００８】
かかる本発明によれば、取引装置が設置された国を訪れた外国人が、操作受付部に対して現地通貨の出金操作を行ったときに、出金額の現地通貨により購入可能な具体的な商品をイメージして、指示した現地通貨の出金額が妥当なものであるか否かを判断することができる。そのため、外国人が必要以上に現地通貨を出金することを抑制することができる。
【０００９】
ここで、現地通貨は取引装置が設置された国の通貨であり、例えば、取引装置が設置された国が日本であるときは円であり、取引装置が設置された国が米国であるときにはドルである。また、商品情報の報知としては、表示による報知、音声出力による報知等を採用することができる。また、本発明における商品は現地通貨による取引の対象を意味し、物品及びサービスを含む。
【図面の簡単な説明】
【００１０】
【図１】ＡＴＭ（本発明の取引装置）の外観、及びＡＴＭを含む取引システムを示した説明図。
【図２】ＡＴＭの構成を示すブロック図。
【図３】ＡＴＭに備えられた制御ユニットによる全体的な処理を示すフローチャート。
【図４】制御ユニットによる出金処理のフローチャート。
【図５】表示器に表示される初期画面から出金額の入力画面までの説明図。
【図６】購入可能商品の表示画面の説明図であり、（ａ）は購入可能商品の商品名と個数と合計金額の表示状態を示し、（ｂ）は購入可能商品の関連情報の表示状態を示している。
【図７】購入可能商品の表示と非表示を、使用者の指示操作に応じて切り替える実施形態の説明図。
【発明を実施するための形態】
【００１１】
本発明の実施形態について、図１〜図７を参照して説明する。図１を参照して、本実施形態のＡＴＭ（Automated Teller Machine、本発明の取引装置に相当する）１は、例えば、金融機関の店舗、ショッピングセンター、小売り店舗、駅や空港等の公共施設に設置され、通信ネットワーク５０を介して金融機関のホストコンピュータ６０に接続されている。
【００１２】
ＡＴＭ１には、タッチパネル表示器２、紙幣入出口３ａ、硬貨入出口４ａ、プリンタ出口５ａ、カードスロット６ａ、通帳スロット７ａ、及びスピーカ８が備えられている。また、ＡＴＭ１の内部には、ＡＴＭ１の全体的な作動を制御する制御ユニット１０が備えられている。
【００１３】
タッチパネル表示器２は、表示器２ａ（液晶表示器、ＣＲＴ等）と表示器２ａを覆って配置されたタッチパネル２ｂとにより構成されている。紙幣入出口３ａは紙幣の入出を行い、硬貨入出口４ａは貨幣の入出を行う。プリンタ出口５ａからは取引の明細票等が送出される。
【００１４】
カードスロット６ａは、使用者が所持する取引カード（磁気カード、ＩＣカード等）の挿入と排出を行い、通帳スロット７ａは通帳の挿入と排出を行う。スピーカ８からは、音声によるガイダンス等が出力される。
【００１５】
ホストコンピュータ６０には、ＡＴＭ１が設置された国（本実施形態では日本）で販売されている各種商品（物品及びサービスを含む）の情報（価格、販売・提供店舗等）のデータが保持された商品データベース６１が備えられている。なお、商品データベース６１をＡＴＭ１に備える構成としてもよい。
【００１６】
次に、図２を参照すると、ＡＴＭ１の内部には、制御ユニット１０の他に、紙幣入出金部３、硬貨入出金部４、プリンタ５、カード取扱部６、通帳取扱部７、及び通信ユニット２０が備えられている。
【００１７】
通信ユニット２０は、通信ネットワーク５０を介してホストコンピュータ６０との間で通信を行う。紙幣入出金部３は、入金時には紙幣入出口３ａに入れられた紙幣の種類を識別して入金額を認識し、認識した入金額を示すデータを制御ユニット１０に出力する。また、紙幣入出金部３は、出金時には制御ユニット１０から受信したデータにより指示された額の紙幣を紙幣入出口３ａに出金する。
【００１８】
硬貨入出金部４は、入金時には硬貨入出口４ａに入れられた硬貨の種類を識別して入金額を認識し、認識した入金額を示すデータを制御ユニット１０に出力する。また、硬貨入出金部４は、出金時には制御ユニット１０から受信したデータにより指示された額の硬貨を硬貨入出金口４ａに出金する。
【００１９】
プリンタ５は、制御ユニット１０から受信したデータにより指示される取引明細等を印字した伝票をプリンタ出口５ａから排出する。カード取扱部６は、カードスロット６ａに挿入された取引カードから使用者の登録情報を読出して、登録情報のデータを制御ユニット１０に出力する。また、カード取扱部６は、取引の終了時にカードスロット６ａから取引カードを排出する。
【００２０】
通帳取扱部７は、通帳スロット７ａに挿入された通帳から使用者の登録情報を読出して、登録情報のデータを制御ユニット１０に出力する。また、通帳取扱部７は、制御ユニット１０から受信した取引内容を示すデータに基づいて取引内容を通帳に書き込み、取引の終了時に通帳スロット７ａから通帳を排出する。
【００２１】
制御ユニット１０は、図示しないＣＰＵ、メモリ、各種インターフェース回路等を備えて構成された電子回路ユニットであり、メモリに保持されたＡＴＭ１の制御用プログラムをＣＰＵで実行することによって、商品データ参照部１１、ガイダンス報知部１２（本発明のガイダンス表示部の機能を含む）、操作受付部１３、ガイダンス言語決定部１４、カード発行国認識部１５、購入可能商品抽出部１６、及び購入可能商品報知部１７として機能する。
【００２２】
商品データ参照部１１は、通信ユニット２０により、ネットワーク５０を介してホストコンピュータ６０に備えられた商品データベース６１にアクセスし、ＡＴＭ１が設置された国で購入可能な商品の情報（価格、販売店、割引クーポンの有無等）を取得する。
【００２３】
ガイダンス報知部１２は、使用者による取引操作をアシストするガイダンス画面を表示器２ａに表示し、また、ガイダンス音声をスピーカ８から出力する。ガイダンス報知部１２が、表示器２ａにガイダンス画面を表示する構成は、本発明のガイダンス表示部に相当する。
【００２４】
操作受付部１３は、タッチパネル２ｂから出力される操作信号（使用者によりタッチされているタッチパネル２ｂ上の位置を示す信号）と、表示器２ａに表示されているガイダンス画面とに基づいて、使用者による指示操作を受け付けて指示操作の内容を認識する。
【００２５】
ガイダンス言語決定部１４、カード発行国認識部１５、購入可能商品抽出部１６、及び購入可能商品報知部１７の作動については後述する。
【００２６】
以下、図３〜図４に示したフローチャートに従って、使用者が現地通貨の出金を指示する操作を行った場合に、制御ユニット１０により実行される処理について説明する。本実施形態は、ＡＴＭ１が日本に設置されている場合を例示して説明しているため、現地通貨は円である。
【００２７】
図３のＳＴＥＰ１は、ガイダンス報知部１２による処理である。ガイダンス報知部１２は、図示しない人感センサにより使用者を検知したとき、あるいは操作受付部１３により使用者がタッチパネル２ｂに触れたことを検知したときに、図５に示したメニュー画面（画面７０）を表示器２ａに表示する。
【００２８】
続くＳＴＥＰ２及びＳＴＥＰ２から分岐したＳＴＥＰ２０は、ガイダンス言語決定部１４による処理である。ガイダンス言語決定部１４は、ＳＴＥＰ２で、操作受付部１３により、メニュー画面（画面７０）に表示された「ＬＡＮＧＵＡＧＥ」キー８０の操作が受け付けられたときに、ＳＴＥＰ２０に分岐して「ガイダンス言語決定」処理を実行する。
【００２９】
ガイダンス報知部１２は、「ＬＡＮＧＵＡＧＥ」キー８０の操作に応じて、図５に示したガイダンス言語選択画面（画面７５）を表示器２ａに表示する。図５のガイダンス言語選択画面（画面７５）では、ガイダンス言語を選択するための言語キーとして、日本語（Ｊａｐａｎｅｓｅ）、英語（Ｅｎｇｌｉｓｈ）、及び中国語（Ｃｈｉｎｅｓｅ）のキーが例示されている。
【００３０】
ガイダンス言語決定部１４は、ガイダンス言語選択画面で、操作受付部１３によりいずれかの言語キーが選択されたときに、選択された言語キーの言語をガイダンス言語として決定する。そして、ガイダンス報知部１２は、以後はガイダンス言語を用いて表示器２ａに各種のガイダンスを表示する。
【００３１】
ガイダンス報知部１２は、ＳＴＥＰ２１でガイダンス言語を用いて画面７０と同様のメニュー画面を表示器２ａに表示し、続くＳＴＥＰ２２で操作受付部１３によりいずれかの取引項目キー（「お引出し」キー、「残高照会」キー、「お預入れ」キー等）の操作が受け付けられたときに、ＳＴＥＰ２３に進んでカード挿入画面を表示する。ガイダンス言語が英語に決定されたときには、ガイダンス報知部１２は、英語によるカード挿入画面（画面７６）を表示器２ａに表示する。続くＳＴＥＰ２４で、取引カードがカードスロット６ａに挿入されたときにＳＴＥＰ７に進む。
【００３２】
一方、ＳＴＥＰ２で、操作受付部１３により「ＬＡＮＧＵＡＧＥ」キー８０の操作が受け付けられずに、ＳＴＥＰ３で、いずれかの取引項目キーの操作が受け付けられたときには、ＳＴＥＰ４に進む。ＳＴＥＰ４で、ガイダンス報知部１２は、図５に示したカード挿入画面（画面７１）を表示器２ａに表示する。
【００３３】
続くＳＴＥＰ５で、取引カードがカードスロット６ａに挿入されたときにＳＴＥＰ６に進む。ＳＴＥＰ６はカード発行国認識部１５及びガイダンス言語設定部による処理である。カード発行国認識部１５は、カード取扱部６から受信したデータにより認識した使用者の登録データを、通信ネットワーク５０を介してホストコンピュータ６０に送信して、取引カードが発行された国を問い合わせる。
【００３４】
カード発行国認識部１５は、ホストコンピュータ６０から受信した応答データにより、取引カードが外国（ＡＴＭ１が設置された国以外の国）で発行されたものであるか否かを判断する。そして、ガイダンス言語決定部１４は、取引カードが外国で発行されたものであるときは、取引カードが発行された国の言語をガイダンス言語に決定する。
【００３５】
例えば、取引カードが発行された国が米国であるときには、ガイダンス言語決定部１４は、英語をガイダンス言語に決定する。以下では、英語がガイダンス言語に決定された場合を例として説明する。なお、取引カードが外国で発行されたものであることが認識されたときに、取引カードが発行された国の言語ではなく、英語をガイダンス言語に決定するようにしてもよい。
【００３６】
ＳＴＥＰ７で、ガイダンス報知部１２は、図５に示した暗証番号の入力画面（画面７２）を、表示器２ａに表示する。暗証番号の入力画面には、暗証番号を入力するためのテンキー８２、暗証番号の入力状況を示す暗証番号表示部８３、入力された数字を削除するためのクリア（Ｃｌｅａｒ）キー８４、取引を中止するためのキャンセル（Ｃａｎｃｅｌ）キー８５、及び入力された暗証番号を最終的に確認するための確認（Ｃｏｎｆｉｒｍ）キー８６が表示される。
【００３７】
続くＳＴＥＰ８で、操作受付部１３により暗証番号の入力が受け付けられるか、或は通帳取扱部７より通帳スロット７ａに通帳が挿入されたことが認識されたときに、ＳＴＥＰ９に進む。そして、制御ユニット１０は、ＳＴＥＰ９で、ＳＴＥＰ３で選択された取引を実行して、図３のフローチャートによる一連の処理を終了する。
【００３８】
次に、図４に示したフローチャートに従って、メニュー画面において、「お引き出し」又は「クレジット」が選択（本発明の出金指示に相当する）され、図３のＳＴＥＰ２０又はＳＴＥＰ６で、ガイダンス言語決定部１４により外国語がガイダンス言語に設定された場合に、制御ユニット１０により実行される、現地通貨（本実施形態では円）による出金処理について説明する。
【００３９】
図４のＳＴＥＰ３０で、ガイダンス報知部１２は、表示器２ａに、図５に示した出金額の入力画面（画面７３）を表示する。出金額の入力画面（画面７３）には、テンキー８２、クリアキー８４、キャンセルキー８５、及び確認キー８６の他に、テンキー８２により入力された出金額を表示する出金額表示部８７と、出金額を確定する円（ｙｅｎ）キー８８が表示される。
【００４０】
使用者は、テンキー８２を操作して出金額を入力した後、円キー８８を操作して出金額を確定する。制御ユニット１０は、ＳＴＥＰ３１で、円キー８８が操作されるのを待って、処理をＳＴＥＰ３２に進める。
【００４１】
ＳＴＥＰ３２は、購入可能商品抽出部１６による処理である。購入可能商品抽出部１６は、通信ユニット２０により、通信ネットワーク５０を介してホストコンピュータ６０に備えられた商品データベース６１にアクセスし、商品データベース６１に保持された商品の情報を参照して、入力された出金額（図５の例では、１０，０００円）で購入可能な商品を抽出する。
【００４２】
続くＳＴＥＰ３３は、購入可能商品報知部１７による処理である。購入可能商品報知部１７は、図６（ａ）に示したように、出金額の入力画面（画面９０）に、購入可能商品抽出部１６により抽出された商品をリスト化した購入可能商品リスト１００を表示する（本発明の購入可能商品報知に相当する）。購入可能商品リスト１００には、商品名（product）、個数（quantity）、及び価格（price）の組合せがいくつか表示される。
【００４３】
ここで、購入可能商品報知部１７は、使用者による購入可能商品リスト１００に表示されている商品名の押下げ操作が、操作受付部１３によって受け付けられたときに、その商品の広告を表示器２ａに表示する。
【００４４】
ＳＴＥＰ３３の処理により、購入可能商品リスト１００を表示器２ａに表示することによって、表示器２ａに表示されているガイダンス表示を既に視認している使用者に対して、購入可能商品抽出部１６により抽出された商品の情報を、効率良く認識させることができる。
【００４５】
なお、本発明の購入可能商品報知として、購入可能商品リスト１００の表示器２ａへの表示に代えて、或は購入可能商品リスト１００の表示器２ａへの表示と共に、購入可能商品リスト１００の内容を音声によりスピーカ８から出力するようにしてもよい。
【００４６】
また、ＳＴＥＰ３３による購入可能商品リスト１００の表示器２ａの表示は、ガイダンス言語として外国語が選択されるか、又は取引カードの発行国が外国であることから、使用者が外国人である可能性が高いと判断できる場合に行われるため、外国人が必要以上に現地通貨を出金することを抑制することができる。
【００４７】
また、ＳＴＥＰ３１で円キー８８を操作して出金額を確定した後に、ＳＴＥＰ３２〜ＳＴＥＰ３３の処理が実行されて、購入可能商品リスト１００が表示器２ａに表示される。そのため、使用者が現地通貨での出金額を入力している途中に購入可能商品リスト１００が表示されて、使用者に煩わしさを与えてしまうことを防止することができる。
【００４８】
購入可能商品リスト１００を確認した使用者は、入力した出金額（図６（ａ）では、１０，０００円を例示）で購入可能な具体的な商品をイメージして、出金額が妥当なものであるか否かを判断することができる。
【００４９】
そして、制御ユニット１０は、次のＳＴＥＰ３４及びＳＴＥＰ４０からなるループにより、ＳＴＥＰ３４で操作受付部１３により確認キー８６の操作が受け付けられたか否かを判断すると共に、ＳＴＥＰ４０で出金額の修正操作が受け付けられたか否かを判断する。
【００５０】
使用者は、入力した出金額が妥当であると判断したときは確認キー８６を操作する。確認キー８６の操作によって出金額が最終的に確定し、ＳＴＥＰ３４からＳＴＥＰ３５に進んで、制御ユニット１０は、紙幣入出金部３又は硬貨入出金部４により現金の支払い処理を行う。
【００５１】
一方、使用者が、自身が考えていた価値に対して、入力した出金額が多過ぎると判断したときには、クリアキー８４とテンキー８２を操作して、出金額を修正することができる。そのため、外国人が必要以上に現地通貨を出金してしまうことを抑制することができる。この出金額の修正操作に応じて、処理がＳＴＥＰ４０からＳＴＥＰ３０に戻り、修正後の出金額に応じた購入可能商品リスト１００が表示器２ａに表示される。
【００５２】
ＳＴＥＰ３６で出金処理が終了するまでＳＴＥＰ５０に分岐し、購入可能商品報知部１７は、出金処理に伴う待ち時間（ＡＴＭ１とホストコンピュータ６０との通信中）を利用して、図６（ｂ）に示したように、購入可能商品リスト１００で表示した商品に関連する情報１０２〜１０５を併せて表示する。図６（ｂ）の例では、各商品の割引券（Discount ticket）が表示されている。ホストコンピュータとの通信中の状態に移行している場合は、既に取引が成立しているので、使用者にインセンティブとして各商品の割引券を発行する。
【００５３】
制御ユニット１０は、操作受付部１３により、割引券のキー１０２〜１０５のいずれかの操作が受け付けられたときに、プリンタ５により割引券を印刷してプリンタ出口５ａから排出する（割引券の発行）。
【００５４】
ここで、図４に示したフローチャートでは、ＳＴＥＰ３３で購入可能商品リストを表示（画面９０）すると共に、ＳＴＥＰ５０で購入可能商品リスト及び購入可能商品の関連情報を表示（画面９１）したが、ＳＴＥＰ３３とＳＴＥＰ５０のうちのいずれか一方による表示のみを行うようにしてもよい。この場合、例えば、予め設定された時間帯やＡＴＭ１による取引処理が繁忙な状況であるときには、ＳＴＥＰ３１〜ＳＴＥＰ３３による画面９０の表示の処理を行わず、ＳＴＥＰ３４で確認キー８６の操作が受け付けられてＳＴＥＰ３５で出金処理が開始されたときに、ＳＴＥＰ３６で出金処理が終了するまでの間（ＡＴＭ１とホストコンピュータ６０との通信中）に、ＳＴＥＰ５０により画面９１を表示する構成としてもよい。
【００５５】
なお、ＡＴＭ１がショッピングモールや店舗に設置されている場合には、ＡＴＭ１が設置されているショッピングモールや店舗で販売されている商品を、優先的に購入可能商品リスト１００に表示して、その商品の割引券を発行するようにしてもよい。
【００５６】
また、使用者は、図６（ａ）に示した購入可能商品リスト１００において、個数を変更する操作を行うことができ、購入可能商品抽出部１６は、変更後の個数による金額で購入可能は商品を抽出し、この抽出結果に基づいて、購入可能商品報知部１７は、表示器２ａに表示する購入可能商品リスト１００を更新する。
【００５７】
なお、ＡＴＭ１が空港、名税店等に設置され、外国人が利用する機会が多いと想定される場合は、ガイダンス言語や取引カードの発行国による条件を判断することなく、購入可能商品リスト１００が表示器２ａに表示するようにしてもよい。
【００５８】
［他の実施形態］
図７の画面１０５に示したように、出金額の入力画面に「日本円では」（What can you buy at the amount of yen ?）キー１１０を表示し、操作受付部１３により、「日本円では」キー１１０の操作が受け付けられたときに、画面１０６に示したように、購入可能商品リスト１００を表示するようにしてもよい。ここでの「日本円では」キー１１０は、画面７３の円キー８８に相当し、「日本円では」キー１１０を押下することで入力された金額が確定するので、画面１０６に示したように、購入可能商品リスト１００を表示できる。
【００５９】
この場合、画面１０６にリターン（Return）キー１１１を表示し、操作受付部１３によりリターンキー１１１の操作が受け付けられたときに、購入可能商品リストの表示を消して画面１０５に戻すようにしてもよい。
【００６０】
図７に示した実施形態によれば、使用者が購入可能商品リスト１００の表示を希望する場合にのみ、「日本円では」キー１１０を操作して、購入可能商品リスト１００を表示させることができる。そのため、使用者が希望しない場合にも一律に購入可能商品リスト１００が表示されて、使用者に煩わしさを感じさせることを防止することができる。
【００６１】
また、上述した実施形態では、本発明の取引装置としてＡＴＭを示したが、外貨両替機に対しても本発明の適用が可能である。この場合、外国通貨から現地通貨（本実施形態では円）への両替を指示する操作が受け付けられたときに、外国通貨の入金額を両替した現地通貨の出金額について、購入可能商品リストの表示等の購入可能商品報知を行う構成とすることができる。
【符号の説明】
【００６２】
１…ＡＴＭ（取引装置）、２ａ…表示器、２ｂ…タッチパネル、３ａ…紙幣入出口、３…紙幣入出金部、４ａ…硬貨入出口、４…硬貨入出金部、５ａ…プリンタ出口、５…プリンタ、６ａ…カードスロット、６…カード取扱部、７ａ…通帳スロット、７…通帳取扱部、８…スピーカ、１０…制御ユニット、１１…商品データ参照部、１２…ガイダンス報知部、１３…操作受付部、１４…ガイダンス言語決定部、１５…カード発行国認識部、１６…購入可能商品抽出部、１７…購入可能商品報知部、１８…出金額変更部、６０…ホストコンピュータ、６１…商品データベース。
【図１】
0006581826.tif 000002
【図２】
0006581826.tif 000003
【図３】
0006581826.tif 000004
【図４】
0006581826.tif 000005
【図５】
0006581826.tif 000006
【図６】
0006581826.tif 000007
【図７】
0006581826.tif 000008